(57)【要約】【課題】効率的な交通情報の蓄積と削除とを行う。【解決手段】交通情報提供システムにおいて、路側ＤＳＲＣ送受信機は交通情報を配信する。車載機１０の制御部１３は、車載ＤＳＲＣ送受信機１５を制御して、路側ＤＳＲＣ送受信機から配信される交通情報を取得して、この交通情報を記憶部１６に記憶する。制御部１３はＧＰＳ受信機１１で受信した現在時刻と、記憶部１６に記憶された交通情報時刻とに基づいて、所定範囲内の時刻の交通情報を保持し、それ以外の時刻の交通情報を削除する。【選択図】図２
2007287049.tif 000002
【特許請求の範囲】
【請求項１】
交通情報を取得する取得手段と、
前記取得手段により取得された交通情報を記憶する記憶手段と、
前記取得手段により取得された前記交通情報に含まれる、当該交通情報の有効期限を示す情報に基づいて、前記記憶手段に記憶された前記交通情報が有効であるか否かを判別する判別手段と、
前記交通情報が前記判別手段により有効ではないと判別された場合、当該交通情報を削除する削除手段と、
前記記憶手段に記憶された前記交通情報を出力する出力手段と
を備えることを特徴とする交通情報提供装置。
【請求項２】
請求項１に記載の交通情報提供装置であって、
前記判別手段は、前記取得手段により取得された前記交通情報が前記有効期限の範囲内にある場合に、当該交通情報が有効であると判別する
ことを特徴とする交通情報提供装置。
【請求項３】
交通情報を提供する交通情報提供装置であって、
前記交通情報を取得する第１の取得手段と、
当該交通情報提供装置の位置を示す情報を取得する第２の取得手段と、
前記第１の取得手段により取得された交通情報を記憶する記憶手段と、
前記第１の取得手段により取得された前記交通情報に含まれる、当該交通情報の有効期限を示す情報に基づいて、前記記憶手段に記憶された前記交通情報が有効であるか否かを判別する判別手段と、
前記交通情報が前記判別手段により有効ではないと判別された場合、当該交通情報を削除する削除手段と、
前記記憶手段に記憶された前記交通情報を出力する出力手段と
を備え、
前記判別手段は、前記第２の取得手段により取得された前記情報が示す位置の周辺の判定領域を求めて、前記記憶手段に記憶された前記交通情報が示す位置が当該判定領域の範囲内にある場合に、当該交通情報が有効であると判別する
ことを特徴とする交通情報提供装置。
【請求項４】
請求項３に記載の交通情報提供装置であって、
前記判別手段は、前記第２の取得手段により取得された前記情報に基づいて当該交通情報提供装置の移動速度を計算し、当該計算結果に基づいて前記判定領域を求める
ことを特徴とする交通情報提供装置。
【請求項５】
請求項３又は４に記載の交通情報提供装置であって、
前記判別手段は、前記第２の取得手段により取得された前記情報に基づいて当該交通情報提供装置の移動方向を計算し、当該計算結果に基づいて前記判定領域を求める
ことを特徴とする交通情報提供装置。
【請求項６】
請求項１又は３に記載の交通情報提供装置であって、
前記交通情報は、当該交通情報を保持する優先度を含み、
前記判別手段は、当該優先度が所定値以上の場合に、当該交通情報が有効であると判別する
ことを特徴とする交通情報提供装置。
【請求項７】
取得部、記憶部、判別部、削除部、出力部を有する交通情報提供装置にて実行される交通情報提供方法であって、
前記取得部が、交通情報を取得する取得ステップと、
前記記憶部が、前記取得ステップにより取得された交通情報を記憶する記憶ステップと、
前記判別部が、前記取得ステップにより取得された前記交通情報に含まれる、当該交通情報の有効期限を示す情報に基づいて、前記記憶部に記憶された前記交通情報が有効であるか否かを判別する判別ステップと、
前記交通情報が前記判別ステップにより有効ではないと判別された場合、前記削除部が、当該交通情報を削除する削除ステップと、
前記出力部が、前記記憶ステップにより記憶された前記交通情報を出力する出力ステップと
を備えることを特徴とする交通情報提供方法。
【請求項８】
コンピュータを、
交通情報を取得する取得手段、
前記取得手段により取得された交通情報を記憶する記憶手段、
前記取得手段により取得された前記交通情報に含まれる、当該交通情報の有効期限を示す情報に基づいて、前記記憶手段に記憶された交通情報が有効であるか否かを判別する判別手段、
前記交通情報が前記判別手段により有効ではないと判別された場合、当該交通情報を削除する削除手段、
前記記憶手段に記憶された前記交通情報を出力する出力手段
として機能させることを特徴とするプログラム。
【発明の詳細な説明】
【技術分野】
【０００１】
本発明は、交通情報提供装置、交通情報提供方法、及び、プログラムに関する。
【背景技術】
【０００２】
現在、交通渋滞や交通規制などの交通情報は、道路交通情報システム（ＶＩＣＳ；Vehicle Information and Communication System）を用いてリアルタイムに走行車両へ送信され、ドライバへの注意喚起や迂回路探索のため利用されている。
【０００３】
また、ＤＳＲＣ（Dedicated Short Range Communication）方式の専用狭域通信を用いた技術の研究が活発に行われている。ＤＳＲＣは、直径３０ｍ程度の比較的狭い範囲を通信エリアとし、この範囲内に存在する車両へ大容量のデータを通信するシステムである。更には、同時に交通情報を提供する地理的範囲を限定し、場所に応じた交通情報をドライバに提供することができるという特性をも併せ持っている。
【０００４】
送信側端末と走行車両の間では、大量の交通情報のやりとりがなされる。また、道路の交通状況は刻々と変化しており、交通情報の示す交通状況は、時間が経つほど現在の交通状況とはかけ離れたものになってしまう。
【０００５】
そのため、システムにおいてやりとりされる大量の交通情報を効率よく、有効なものと有効ではないものとに判別し、有効ではないものは削除することが必要になる。特許文献１には、ドライバが情報の有効期限を設定し、その有効期限に基づいて情報の蓄積と削除とを行うカーナビゲーションシステムが開示されている。
【特許文献１】特開２００３−１０２０５１号公報
【発明の開示】
【発明が解決しようとする課題】
【０００６】
しかし、特許文献１によれば、ユーザが全ての情報に有効期限を設定する必要があるため、カーナビゲーションシステムを利用するためには非常に手間を要しユーザにとって負担となっていた。
【０００７】
本発明は、上記問題点に鑑みてなされたもので、ドライバに手間を掛けさせずに効率的な交通情報の蓄積と削除とを行うために好適な交通情報提供装置、交通情報提供方法及びプログラムを提供することを目的とする。
【課題を解決するための手段】
【０００８】
上記目的を達成するために、本発明の第１の観点に係る交通情報提供装置は、取得手段、記憶手段、判別手段、削除手段、及び、出力手段を備える。
取得手段は、交通情報を取得する。
記憶手段は、取得手段により取得された交通情報を記憶する。
判別手段は、取得手段により取得された交通情報に含まれる、この交通情報の有効期限を示す情報に基づいて、記憶手段に記憶された交通情報が有効であるか否かを判別する。
削除手段は、交通情報が判別手段により有効ではないと判別された場合、この交通情報を削除する。
出力手段は、記憶手段に記憶された交通情報を出力する。
この結果、交通情報提供装置は、交通情報の位置情報又は取得した時刻に基づいて、記憶手段に蓄積された交通情報の中から不要なものを効率的に削除することができる。
【０００９】
判別手段は、取得手段により取得された交通情報が有効期限の範囲内にある場合に、この交通情報が有効であると判別してもよい。
この結果、交通情報提供装置は、交通情報を取得した時刻に基づいて、記憶手段に蓄積された交通情報の中から不要なものを効率的に削除することができる。例えば、所定の時間が経過した古い交通情報を削除することができる。
【００１０】
上記目的を達成するために、本発明のその他の観点に係る交通情報提供装置は、第１の取得手段、第２の取得手段、記憶手段、判別手段、削除手段、及び、出力手段を備える。  第１の取得手段は、交通情報を取得する。
第２の取得手段は、この交通情報提供装置の位置を示す情報を取得する。
記憶手段は、第１の取得手段により取得された交通情報を記憶する。
判別手段は、第１の取得手段により取得された交通情報に含まれる、この交通情報の有効期限を示す情報に基づいて、記憶手段に記憶された交通情報が有効であるか否かを判別する。
削除手段は、交通情報が判別手段により有効ではないと判別された場合、この交通情報を削除する。
出力手段は、記憶手段に記憶された交通情報を出力する。
そして、判別手段は、第２の取得手段により取得された情報が示す位置の周辺の判定領域を求めて、記憶手段に記憶された交通情報が示す位置がこの判定領域の範囲内にある場合に、この交通情報が有効であると判別する。
この結果、交通情報提供装置は、交通情報を取得した場所に基づいて、記憶手段に蓄積された交通情報の中から不要なものを効率的に削除することができる。例えば、所定のエリアから外れた交通情報を削除することができる。
【００１１】
判別手段は、第２の取得手段により取得された情報に基づいてこの交通情報提供装置の移動速度を計算し、計算結果に基づいて判定領域を求めてもよい。
この結果、交通情報提供装置は、この装置を設置した自動車等の移動速度に基づいて、削除する交通情報を効率よく選択することができる。
【００１２】
判別手段は、第２の取得手段により取得された情報に基づいてこの交通情報提供装置の移動方向を計算し、計算結果に基づいて判定領域を求めてもよい。
この結果、交通情報提供装置は、この装置を設置した自動車等の移動方向に基づいて、削除する交通情報を効率よく選択することができる。
【００１３】
交通情報は、この交通情報を保持する優先度を含み、
判別手段は、この優先度が所定値以上の場合に、この交通情報が有効であると判別してもよい。
この結果、交通情報提供装置は、予め設定された優先度に基づいて、削除する交通情報を効率よく選択することができる。
【００１４】
本発明のその他の観点に係る交通情報提供方法は、取得部、記憶部、判定部、削除部、及び、出力部を有する交通情報提供装置にて実行される交通情報提供方法であって、取得ステップ、記憶ステップ、判別ステップ、削除ステップ、及び、出力ステップを備える。
取得ステップは、取得部が、交通情報を取得する。
記憶ステップは、記憶部が、取得ステップにより取得された交通情報を記憶する。
判別ステップは、判別部が、取得ステップにより取得された交通情報に含まれる、この交通情報の有効期限を示す情報に基づいて、記憶部に記憶された交通情報が有効であるか否かを判別する。
削除ステップは、交通情報が判別ステップにより有効ではないと判別された場合、削除部が、この交通情報を削除する。
出力ステップは、出力部が、記憶ステップにより記憶された交通情報を出力する。
この結果、この交通情報提供方法を用いた交通情報提供装置は、交通情報の位置情報又は取得した時刻に基づいて、記憶手段に蓄積された交通情報の中から不要なものを効率的に削除することができる。
【００１５】
本発明のその他の観点に係るプログラムは、コンピュータを、取得手段、記憶手段、判別手段、削除手段、及び、出力手段として機能させる。
取得手段は、交通情報を取得する。
記憶手段は、取得手段により取得された交通情報を記憶する。
判別手段は、取得手段により取得された交通情報に含まれる、この交通情報の有効期限を示す情報に基づいて、記憶手段に記憶された交通情報が有効であるか否かを判別する。
削除手段は、交通情報が判別手段により有効ではないと判別された場合、この交通情報を削除する。
出力手段は、記憶手段に記憶された交通情報を出力する。
この結果、プログラムは、コンピュータを、交通情報の位置情報又は取得した時刻に基づいて、記憶手段に蓄積された交通情報の中から不要なものを効率的に削除することができる交通情報提供装置として機能させることができる。
【発明の効果】
【００１６】
本発明によれば、交通情報提供システムにおいて、ドライバに手間を掛けさせずに効率的な交通情報の蓄積と削除とを行うことができる。
【発明を実施するための最良の形態】
【００１７】
（実施形態１）
本発明の実施の形態に係る交通情報提供システムを説明する。本実施形態では、交通情報提供システムはＤＳＲＣ方式を用いて通信を行うが、これに限定されるものではない。
この交通情報システムは、図１に示すように、車載機１０と、路側ＤＳＲＣ送受信機２０と、情報管理装置３０と、ＧＰＳ送信人工衛星４０と、から構成される。
【００１８】
車載機１０は、道路を走行する車両に搭載され、路側ＤＳＲＣ送受信機２０から交通情報を受信し、受信したデータを蓄積し、所定の条件を満たした交通情報については削除する。ここで、交通情報の配信は、ユーザが情報を引き出す（プル）のではなくユーザが操作しなくても情報管理装置３０から自動的に情報が車載機１０に送られる、いわゆる「プッシュ配信」で行われる。そして、車載機１０は、配信された交通情報を車載機１０の表示画面に表示したり音声で出力したりしてユーザに通知する。これにより、ユーザは最新の交通情報を得ることができ、例えば道路の渋滞情報を予め取得して渋滞エリアを回避することができる。なお、本実施形態では、交通情報はプッシュ配信により配信されるものとして説明するが、車載機１０はユーザから交通情報を受信する旨の要求があったときに交通情報を受信することもできる。
【００１９】
また、車載機１０は、ＧＰＳ送信人工衛星４０からＧＰＳ信号を受信し、車載機１０を搭載する車両の位置情報や、交通情報提供システムのシステム時刻を取得する。位置情報は、緯度・経度で示されるのが典型的である。
【００２０】
路側ＤＳＲＣ送受信機２０は、自機の近傍に設定される通信エリア内の車載機１０に交通情報を送信する。路側ＤＳＲＣ送受信機２０により送信される交通情報は、情報管理装置３０により管理され配信される情報である。路側ＤＳＲＣ送受信機２０は、主要な道路脇に複数配置されるのが典型的である。路側ＤＳＲＣ送受信機２０は、情報処理装置３０から配信される交通情報などを通信エリア内にプッシュ配信する。車載機１０が設置された車両が路側ＤＳＲＣ送受信機２０の通信エリア内に入ると、車載機１０は情報管理装置３０から配信された交通情報を路側ＤＳＲＣ送受信機２０から受信する。
【００２１】
情報管理装置３０は、交通情報を作成し、路側ＤＳＲＣ送受信機２０に送信する。すなわち、情報管理装置３０は、交通情報提供システムがサービス領域内で発生した道路渋滞などの交通情報、あるいは事前に分かっている通行規制などの交通情報を所定のデータ形式で生成し、路側ＤＳＲＣ送受信機２０に送信する。
【００２２】
ＧＰＳ送信人工衛星４０は、ＧＰＳ信号を車載機１０に送信する。ＧＰＳ信号には、緯度・経度で表される位置情報や、現在のシステム時刻などが含まれる。
【００２３】
次に、車載機１０の構成についての詳細な説明を行う。図２に示すように、車載機１０は、ＧＰＳ受信機１１と、ＧＰＳ入力部１２と、制御部１３と、通信制御部１４と、車載ＤＳＲＣ送受信機１５と、記憶部１６と、出力制御部１７と、出力装置１８と、から構成される。
【００２４】
ＧＰＳ受信機１１は、ＧＰＳ送信人工衛星４０からＧＰＳ信号を受信し、受信したＧＰＳ信号を後述するＧＰＳ入力部１２に入力する。
【００２５】
ＧＰＳ入力部１２は、ＧＰＳ受信機１１からＧＰＳ信号を取得し、このＧＰＳ信号を復調処理する。復調して得られたＧＰＳデータは、制御部１３に入力され、制御部１３の制御により記憶部１６に記憶される。
【００２６】
制御部１３は、ＣＰＵ（Central Processing Unit）から構成され、記憶部１６に記憶されたオペレーティングシステム（ＯＳ）や制御プログラムを読み出して実行し、車載機１０全体の制御を行う。制御部１３は、内部時計を備え、現在の時刻を計時する。
具体的には、例えば、制御部１３は、ＧＰＳ入力部１２から取得したＧＰＳデータから現在のシステム時刻を取得する。また、制御部１３は、現在のシステム時刻と交通情報とをもとに交通情報の削除を行うか否かを判別し、削除を行うと判別した場合は交通情報の削除を行う。なお、詳細については後述する。
【００２７】
通信制御部１４は、車載ＤＳＲＣ送受信機１５からＤＳＲＣ信号を取得し、ＤＳＲＣ信号を復調処理して交通情報データに変換し、交通情報データを制御部１３に入力する。交通情報データは制御部１３の制御により記憶部１６に記憶される。
【００２８】
車載ＤＳＲＣ送受信機１５は、路側ＤＳＲＣ送受信機２０からアンテナを用いてＤＳＲＣ信号を受信し、受信したＤＳＲＣ信号を通信制御部１４に入力する。
【００２９】
記憶部１６は、ハードディスク装置、フラッシュメモリ装置、ＲＡＭ（Random Access Memory）、ＲＯＭ（Read Only Memory）、ＤＶＤ−ＲＯＭ（Digital Versatile Disk-Read Only Memory）ドライブ装置などから構成され、ＯＳ、所定の制御プログラムや、受信した交通情報など種々のデータを記憶する。記憶部１６は、交通情報提供システムのサービス領域の地図データベースを記憶する。地図データベースはＤＶＤ−ＲＯＭドライブ装置に装着されるＤＶＤ−ＲＯＭに記憶され制御部１３から適宜読み出される。あるいは、予めＤＶＤ−ＲＯＭから地図データベースを読み出してハードディスク装置に記憶させて（インストールして）おいてもよい。
【００３０】
出力制御部１７は、制御部１３の制御のもと、交通情報データを出力装置１８が出力可能なデータ形式に変換し、出力装置１８に入力する。
【００３１】
出力装置１８は、取得した交通情報などを表示する。例えば、出力装置１８は、ＬＣＤ（Liquid Crystal Display）などのディスプレイ、スピーカ、マイクロフォンなどから構成される。
【００３２】
ここで、図３は、出力装置１８のディスプレイに表示される交通情報の一例である。例えば、路側ＤＳＲＣ送受信機２０から送信されるＤＳＲＣ信号の示す交通情報には、識別情報としての「交通情報ナンバー（Ｎｏ．）」と、交通情報が対象とする地点の「座標」と、その地点の「渋滞レベル」と、「通行止め」の有無と、「その他障害レベル」と、この交通情報が有効な地理的な範囲を示す「有効範囲」と、この交通情報の「有効期限」と、が含まれている。なお、交通情報は、これに限られるものではなく、他の情報を含んでいてもよい。また、交通情報は、これらの情報の全部ではなく一部を含むものであってもよい。制御部１３は、通信制御部１４と車載ＤＳＲＣ送受信機１５を制御してＤＳＲＣ信号を受信することにより交通情報を取得し、出力制御部１７と出力装置１８を制御して本図のように交通情報を表示する。画面のレイアウトは任意に設定することができる。制御部１３は、出力装置１８のディスプレイに交通情報を表示してもよいし、スピーカに音声で出力してもよい。本実施形態では、制御部１３は受信した交通情報の詳細をディスプレイに表示しているが、交通情報の画像や音声を受信して再生するようにしてもよい。この場合、情報管理装置３０が交通情報を含む画像データや音声データを配信し、路側ＤＳＲＣ送受信機２０がこれらの画像データや音声データをプッシュ配信し、車載ＤＳＲＣ送受信機１５がこれらの画像データや音声データを受信し、制御部１３がこれらの画像データや音声データを記憶部１６に記憶された所定の再生プログラムで再生して出力すればよい。
【００３３】
「交通情報ナンバー」は、情報管理装置３０から配信される交通情報を識別するための情報であり、例えば数字による通し番号が用いられる。交通情報ナンバーは交通情報を識別できるものであればよく、その設定方法は任意である。
【００３４】
「座標」は、その交通情報が対象とする地点や地域を特定するための情報であり、典型的には具体的な緯度・経度を表す数値で表現される。また、具体的な数値の代わりに、その地点や地域を指す地名、建物名などの文字情報であってもよい。あるいは、例えば「○○交差点の先５０メートル付近」などのように、相対的、概略的に示される情報であってもよい。なお、数値や文字を用いて座標を表示する代わりに、座標の示す地点・地域周辺の地図画像を、記憶部１６に記憶された地図データベースから読み出して、この地図画像と緯度・経度の座標とをマッチングさせて表示するようにしてもよい。
【００３５】
「渋滞レベル」は、交通情報の１つである渋滞情報の程度を示す情報である。例えば、渋滞レベルは、混雑の度合いが比較的小規模の「１」、中程度の「２」、大規模の「３」などのようにレベル分けされている。ユーザは、同じ渋滞情報でも、その渋滞レベルによってその渋滞がどの程度の規模のものなのかを判断することができる。なお、渋滞レベルの分類の仕方は任意に変更可能である。
【００３６】
「通行止め」は、交通情報の１つである通行規制に関する情報であり、通行止めの道路があるか否かを判別するための情報である。通行止めの道路がある場合には「有」、ない場合には「無」が設定される。例えば、ある渋滞情報に通行止め「有」が対応づけられている場合、ユーザはその渋滞が道路の通行止めによる渋滞であることを知ることができる。なお、この通行規制に関する情報は、通行止めの有無だけでなく、その通行止めの原因を表す情報を含んでいてもよい。例えば、交通事故、道路工事、大雨、大雪、その他の事故などを示す情報であってもよい。
【００３７】
「その他障害レベル」は、渋滞情報のほかに、通行するために障害となる情報や運転者に注意を喚起するための情報の程度を示す情報である。例えば、大雨や大風による大幅な速度規制が「２」、小幅な速度規制が「１」、速度規制がない「０」などのようにレベル分けされている。なお、この障害レベルは、数値による情報のほかに、速度規制の具体的な速度、雪によるチェーン規制の有無、大型車のみ通行禁止等の車種別の交通情報、などの情報を含んでいてもよい。この場合、この項目には「その他障害レベル」の代わりに「その他障害情報」としてこれらの交通情報が出力されるように構成すればよい。
【００３８】
「有効範囲」は、交通情報を有効とする地域範囲を指定する情報である。交通情報には様々な地点・地域を対象としたものが多数存在し、ある路側ＤＳＲＣ送受信機２０の近辺からほど遠い地点・地域に関するものも含まれる。そのため、情報管理装置３０は、配信する交通情報に有効範囲を設定して路側ＤＳＲＣ送受信機２０に送信する。
【００３９】
「有効期限」は、交通情報を有効とする時間的な範囲を指定する情報である。交通情報には予め有効期限が設定され、有効期限内の交通情報が有効であり、有効期限を過ぎた情報は無効となる。例えば、車載機１０が有効範囲内に長時間（例えば１日など）留まって時間が有効期限を過ぎたとき、制御部１３はその交通情報を無効にする。
【００４０】
（交通情報出力処理）
次に、車載機１０が交通情報を受信して出力する処理（以下、「交通情報出力処理」と呼ぶ）について図４のフローチャートを用いて説明する。
【００４１】
まず、制御部１３は、車載ＤＳＲＣ送受信機１５を制御して、ＤＳＲＣ信号を受信する（ステップＳ１１）。受信したＤＳＲＣ信号は、通信制御部１４に入力される。通信制御部１４はＤＳＲＣ信号を復調して交通情報データに変換し、制御部１３に入力する。
【００４２】
制御部１３は、交通情報データを取得した日時（あるいはＤＳＲＣ信号を取得した日時）を得る（ステップＳ１２）。この日時は、制御部１３が計数している時刻である。なお、取得したＤＳＲＣ信号の中にそのＤＳＲＣ信号が情報管理装置３０によって生成された日時が含まれている場合には、その生成された日時を取得してもよい。
【００４３】
制御部１３は、取得した交通情報を記憶部１６に記憶する（ステップＳ１３）。
【００４４】
そして、制御部１３は、出力制御部１７を制御して、取得した交通情報を出力装置１８に出力する（ステップＳ１４）。
【００４５】
（交通情報削除処理）
次に、車載機１０が記憶部１６に蓄積している交通情報を削除する処理（以下、「交通情報削除処理」と呼ぶ）について図５のフローチャートを用いて説明する。交通情報削除処理は、定期的な所定のタイミング（例えば、１秒ごとの割り込み等）で制御部１３により実行される処理である。ただし、この交通情報削除処理を行うタイミングはこれに限定されない。
【００４６】
まず、制御部１３は、ＧＰＳ受信機１１を制御してＧＰＳ受信機１１を起動し、ＧＰＳ信号を受信する（ステップＳ２１）。
【００４７】
制御部１３は、ＧＰＳ信号を受信したか否かを判別する（ステップＳ２２）。ここで、ＧＰＳ信号を受信したと判別されれば（ステップＳ２２；Ｙｅｓ）、制御部１３は、車載機１０が計時している時刻を、ＧＰＳ信号が示す交通情報提供システムの時刻に合わせる（ステップＳ２３）。
【００４８】
一方、ＧＰＳ信号を受信していないと判別されれば（ステップＳ２２；Ｎｏ）、ステップＳ２４に進む。この場合、制御部１３は、車載機１０の時刻合わせを行わず、現在車載機１０が計時している時刻に基づいて以下の処理を行う。
【００４９】
なお、制御部１３は、ＧＰＳ受信機１１を制御して、定期的な所定のタイミングで、ＧＰＳ信号を受信して時刻合わせをする処理（ステップＳ２１〜ステップＳ２３に相当する処理）を行うようにしてもよい。この場合、交通情報削除処理のステップＳ２１〜ステップＳ２３を省略することができる。
【００５０】
次に、制御部１３は、記憶部１６に交通情報が蓄積されているか否かを判別する（ステップＳ２４）。交通情報が記憶部１６に蓄積されていれば（ステップＳ２４；Ｙｅｓ）、ステップＳ２５に進み、交通情報が記憶部１６に蓄積されていなければ（ステップＳ２４；Ｎｏ）、交通情報削除処理を終了する。
【００５１】
さらに、制御部１３は、交通情報に付加されている有効期限と、車載機１０の現在の時刻とから、記憶部１６に記憶された交通情報が有効期限内であるか否かを判別する（ステップＳ２５）。交通情報が有効期限内であれば（ステップＳ２５；Ｙｅｓ）、制御部１３は交通情報削除処理を終了する。一方、交通情報が有効期限外であれば（ステップＳ２５；Ｎｏ）、ステップＳ２６に進む。
【００５２】
そして、制御部１３は、有効期限外と判別された交通情報を記憶部１６から削除する（ステップＳ２６）。
【００５３】
なお、ステップＳ２５〜ステップＳ２６の処理は、記憶部１６に記憶されたすべての交通情報について行われる。例えば、記憶部１６は、交通情報と、この交通情報を受信した時刻とに加えて、この交通情報が交通情報削除処理で削除されるべきものであるか否か（有効なデータであるか否か）を示すフラグを対応づけて記憶する。そして、ステップＳ２５で、制御部１３は、有効期限内ではないと判別した交通情報に対応づけられたフラグにこの交通情報が有効ではないことを示す所定値（例えば「１」など）を設定し、有効期限内であると判別した交通情報に対応づけられたフラグにこの交通情報が有効であることを示す所定値（例えば「０」など）を設定する。さらに、ステップＳ２６で、制御部１３は、このフラグに有効ではないことを示す所定値が設定された交通情報を削除し、有効であることを示す所定値が設定された交通情報を保持する。
【００５４】
このように、本実施形態によれば、車載機１０は、所定の有効期限内にある交通情報を保持し、有効期限を過ぎた交通情報を自動的に削除することができる。すなわち、受信した交通情報が大量に存在しても、有効期限の過ぎた古い情報を効率よく削除するように管理することができる。
【００５５】
（実施形態２）
次に、本発明のその他の実施形態について説明する。本実施形態では、車載機１０は、車載機１０の位置情報に基づいて交通情報を削除する。なお、本実施形態の車載機１０のその他の構成は上述の実施形態と同様であるため、重複する構成については説明を省略する。以下、本実施形態の交通情報削除処理について図６のフローチャートを用いて説明する。
【００５６】
（交通情報削除処理、その２）
まず、制御部１３は、ＧＰＳ受信機１１を制御してＧＰＳ受信機１１を起動し、ＧＰＳ信号を受信する（ステップＳ３１）。
【００５７】
次に、制御部１３は、ＧＰＳ信号を受信したか否かを判別する（ステップＳ３２）。ＧＰＳ信号を受信していると判別されれば（ステップＳ３２；Ｙｅｓ）、ステップＳ３３に進む。一方、ＧＰＳ信号を受信していないと判別されれば（ステップＳ３２；Ｎｏ）、交通情報削除処理を終了する。
【００５８】
さらに、制御部１３は、記憶部１６に交通情報が蓄積されているか否かを判別する（ステップＳ３３）。交通情報が記憶部１６に蓄積されていれば（ステップＳ３３；Ｙｅｓ）、ステップＳ３４に進み、交通情報が記憶部１６に蓄積されていなければ（ステップＳ３３；Ｎｏ）、交通情報削除処理を終了する。
【００５９】
そして、制御部１３は、記憶部１６に記憶された交通情報が示す地域情報（例えば、交通情報の緯度・経度情報など）と、ＧＰＳ信号に含まれる位置情報（例えば、現在の車載機１０の緯度・経度情報）とから、記憶部１６に記憶された交通情報が所定の設定エリア内の情報であるか否かを判別する（ステップＳ３４）。交通情報が設定エリア内であれば（ステップＳ３４；Ｙｅｓ）、制御部１３は交通情報削除処理を終了する。一方、交通情報が設定エリア外であれば（ステップＳ３４；Ｎｏ）、ステップＳ３５に進む。
【００６０】
ここで、所定の設定エリアとは、例えば、車載機１０の現在の緯度・経度を中心とした所定の半径の円で示されるエリアである。この設定エリアは、記憶部１６に記憶されるプログラムに予め記憶されて初期値が設定されるが、ユーザにより任意に変更して設定され、記憶部１６に記憶されてもよい。また、設定エリアは円に限らず任意の形状であってもよい。
【００６１】
そして、制御部１３は、設定エリア外の交通情報を記憶部１６から削除する（ステップＳ３５）。
【００６２】
なお、ステップＳ３４〜ステップＳ３５の処理は、記憶部１６に記憶されたすべての交通情報について行われる。例えば、記憶部１６は、交通情報に加えて、この交通情報が交通情報削除処理で削除されるべきものであるか否か（有効なデータであるか否か）を示すフラグを対応づけて記憶する。そして、ステップＳ３４で、制御部１３は、有効期限内ではないと判別した交通情報に対応づけられたフラグにこの交通情報が有効ではないことを示す所定値（例えば「１」など）を設定し、有効期限内であると判別した交通情報に対応づけられたフラグにこの交通情報が有効であることを示す所定値（例えば「０」など）を設定する。さらに、ステップＳ３５で、制御部１３は、このフラグに有効ではないことを示す所定値が設定された交通情報を削除し、有効であることを示す所定値が設定された交通情報を保持する。
【００６３】
このように、本実施形態によれば、車載機１０は、所定の設定エリア内にある交通情報を保持し、設定エリアに該当しない交通情報を自動的に削除することができる。すなわち、受信した交通情報が大量に存在しても、設定エリア外の古い情報を効率よく削除するように管理することができる。
【００６４】
本発明は、上述した実施形態に限定されず、種々の変形及び応用が可能である。また、上述した実施形態を自由に組み合わせることも可能である。
【００６５】
変形例として、制御部１３は、ＧＰＳ受信機１１により受信され取得されたＧＰＳデータの取得時刻と位置情報との履歴情報を記憶部１６に記憶し、この履歴情報に基づいて車載機１０の移動速度を計算し、この計算結果に基づいて設定エリアを変更するようにすることもできる。例えば、車載機１０の移動速度がしきい値（例えば８０ｋｍ／ｈ）未満であれば第１の設定エリア（例えば、半径１０キロメートルの円など）に設定し、それ以外であれば第２の設定エリア（例えば、半径２０キロメートルの円など）に設定する。このようにすれば、車載機１０は、移動速度の大きさに基づいて適切な交通情報を保持し、あるいは、不要な交通情報を削除して、効率的に交通情報を管理することができる。
【００６６】
また、他の変形例として、制御部１３はＧＰＳ受信機１１により受信され取得されたＧＰＳデータの取得時刻と位置情報との履歴情報を記憶部１６に記憶し、この履歴情報に基づいて車載機１０の移動方向を計算し、この計算結果に基づいて設定エリアを変更するようにすることもできる。例えば、車載機１０の移動方向が所定の方角（例えば、真北を中心に３０度以内）であれば第１の設定エリア（例えば、半径１０キロメートルの円など）に設定し、それ以外であれば第２の設定エリア（例えば、円の中心を真北よりにずらした半径１０キロメートルの円など）に設定する。このようにすれば、車載機１０は、移動方向に基づいて適切な交通情報を保持し、あるいは、不要な交通情報を削除して、効率的に交通情報を管理することができる。
【００６７】
また、他の変形例として、制御部１３は、記憶部１６に記憶された交通情報の中でその情報の優先度に基づいて削除するようにすることもできる。例えば、優先度として、交通情報ナンバー、渋滞レベル、障害レベルなどを用いることができる。あるいは、情報管理装置３０は交通情報に予め優先度を示す情報を付加して配信し、制御部１３は取得した交通情報に対応づけてこの優先度も記憶部１６に記憶するようにしてもよい。この場合、上述の交通情報削除処理のステップＳ２５又はステップＳ３４で、制御部１３は、所定の優先度以上か否かを判別し、所定の優先度以上であればその交通情報を保持し、それ以外であれば交通情報を削除するように構成すればよい。
【００６８】
また、他の変形例として、車載機１０は、ユーザにより交通情報ごとに任意に優先度を入力できる入力手段を備え、制御部１３はこの設定された優先度を交通情報に対応づけて記憶し、この優先度に基づいて上述の交通情報削除処理を行うように構成することもできる。この場合、上述の交通情報削除処理のステップＳ２５又はステップＳ３４で、制御部１３は、所定の優先度以上か否かを判別し、所定の優先度以上であればその交通情報を保持し、それ以外であれば交通情報を削除するように構成すればよい。例えば、有効期限が過ぎてもユーザが保存しておきたい交通情報がある場合、タッチパネルや操作キーなどの入力手段を操作して、その交通情報を削除しないあるいは保持する優先度を高くするように設定することにより、ユーザの意図通りに効率よく交通情報を管理することができる。
【００６９】
以上説明したように、本発明によれば、ドライバに手間を掛けさせずに効率的な交通情報の蓄積と削除とを行うために好適な交通情報提供装置、交通情報提供方法及びプログラムを提供することができる。
【図面の簡単な説明】
【００７０】
【図１】本発明の実施形態に係る交通情報提供システムの構成を示す図である。
【図２】車載機の構成を示す図である。
【図３】交通情報の構成の例を示す図である。
【図４】交通情報出力処理を説明するためのフローチャートである。
【図５】交通情報削除処理を説明するためのフローチャートである。
【図６】実施形態２の交通情報削除処理を説明するためのフローチャートである。
【符号の説明】
【００７１】
１０  車載機
１１  ＧＰＳ受信機
１２  ＧＰＳ入力部
１３  制御部
１４  通信制御部
１５  車載ＤＳＲＣ送受信機
１６  記憶部
１７  出力制御部
１８  出力装置
２０  路側ＤＳＲＣ送受信機
３０  情報管理装置
４０  ＧＰＳ送信人工衛星
【図１】
2007287049.tif 000003
【図２】
2007287049.tif 000004
【図３】
2007287049.tif 000005
【図４】
2007287049.tif 000006
【図５】
2007287049.tif 000007
【図６】
2007287049.tif 000008